(57)【要約】【課題】  効率よくシャツの成形をすることのできるハンガー保持器具を提供しようとする。【解決手段】  従来のシャツを掛けたハンガーを保持できるハンガー保持器具にかわって、床に設置可能な基礎部材と、底辺を下にして起立した略台形の輪郭を持つ前部と人間の首の背部を模して後方に湾曲し略台形の左右１対の側辺を繋ぐ曲面を持つ後部とを有する後部部材と、前記後部部材の前方に左右に分かれて位置して起立する左右１対の棒状部材を有する前部部材と、を備え、上からハンガーを挿入可能な隙間を前記後部部材の前部と前記前部部材との間に設ける様に前記後部部材と前部部材とが基礎部材の上部に固定される、ものとした。【選択図】    図１
2006204348.tif 000002
【特許請求の範囲】
【請求項１】
シャツを掛けたハンガーを保持できるハンガー保持器具であって、
床に設置可能な基礎部材と、
底辺を下にして起立した略台形の輪郭を持つ前部と人間の首の背部を模して後方に湾曲し略台形の左右１対の側辺を繋ぐ曲面を持つ後部とを有する後部部材と、
前記後部部材の前方に左右に分かれて位置して起立する左右１対の棒状部材を有する前部部材と、
を備え、
上からハンガーを挿入可能な隙間を前記後部部材の前部と前記前部部材との間に設ける様に前記後部部材と前部部材とが基礎部材の上部に固定される、
ことを特徴とするハンガー保持器具。
【請求項２】
前記前部部材が、左右１対の前記棒状部材に案内されて上下方向に移動でき所望の位置に固定できる左右１対のコマ部材を有し、
前記コマ部材の後端部が前記コマ部材を案内する前記棒状部材の後端部よりも後方に位置する、
ことを特徴とする請求項１に記載のハンガー保持器具。
【請求項３】
前記後部部材の前部から前方へ突起して前後方向に往復可能であり所定の力で前方に付勢された突起部材を、
備えることを特徴とする請求項１に記載のハンガー保持器具。
【請求項４】
下部を前記基礎部材または前記後部部材に回転自在に固定され上部を前後方向に揺動可能になった板部材である押さえ板部材を、
備え、
前記押さえ板部材が前記前記後部部材と前記前部部材との間に設けられる、
ことを特徴とする請求項１に記載のハンガー保持器具。
【発明の詳細な説明】
【技術分野】
【０００１】
本発明は、シャツを掛けたハンガーを保持できるハンガー保持器具に係る。特に、ハンガーを保持する構造に特徴のあるハンガー保持器具に関する。
【背景技術】
【０００２】
クリーニング業界では、クリーニングを完了したワイシャツ等のシャツのをハンガーにに掛ける作業を効率よくおこなう為にハンガー保持器具を用いる。
ハンガー保持器具の上部は、人間の肩から首に沿った部位を模した形状をしている。
ハンガーをハンガー保持器具に保持させる。その後、シャツをハンガーに掛ける。シャツの前ボタンをボタン穴に掛けると、シャツの襟首部を所望の形状に成形することができる。
この様なシャツ成形用ハンガー保持器具を、カラーフォーマと呼称する。
上記の作業をおこなってシャツの襟首の形状を良好にするためには、ハンガーをハンガー保持器具に保持させた際に、ハンガーをハンガー保持器具の所望の上下位置に保持するのが望ましい。
従来、ハンガー保持器具の上部は、略楕円の断面をもち下から上に向かってすぼまり、上から見て楕円の長軸に沿ってスリットが所定の深さで切り欠かれていた。
通例、ハンガーは、フック部とフック部の下端から下方の左右に拡がった１対の肩部と１対の肩部の下端を繋ぐ桟部とを持っている。
ハンガーをハンガー保持器具の上部のスリットに上から差し込むと、桟部がスリットの底部に当たり、ハンガーをハンガー保持器具の所望の上下位置に保持できる。
近年、クリーニング作業を効率化するために各種の形状をしたハンガーが利用される。
例えば、ハンガーにシャツを掛けたまま、シャツを折り畳めるために、幅寸法が短く、肩部と桟部との間隔が従来よりも広いハンガーが用いられる。この様なハンガーを従来のハンガー用のハンガー保持器具に保持させると、ハンガーをハンガー保持器具の所望の上下位置を保持できない。
今後も、従来の形状に捕らわれない形状をしたハンガーが用いられることが予想される。
【０００３】
【特許文献１】特開平９−２８６４０８号
【発明の開示】
【発明が解決しようとする課題】
【０００４】
本発明は以上に述べた問題点に鑑み案出されたもので、効率よくシャツの成形をすることのできるハンガー保持器具を提供しようとする。
【課題を解決するための手段】
【０００５】
上記目的を達成するため、本発明に係るシャツを掛けたハンガーを保持できるハンガー保持器具を、床に設置可能な基礎部材と、底辺を下にして起立した略台形の輪郭を持つ前部と人間の首の背部を模して後方に湾曲し略台形の左右１対の側辺を繋ぐ曲面を持つ後部とを有する後部部材と、前記後部部材の前方に左右に分かれて位置して起立する左右１対の棒状部材を有する前部部材と、を備え、上からハンガーを挿入可能な隙間を前記後部部材の前部と前記前部部材との間に設ける様に前記後部部材と前部部材とが基礎部材の上部に固定される、ものとした。
【０００６】
上記本発明の構成により、基礎部材が床に設置可能であり、後部部材の前部が底辺を下にして起立した略台形の輪郭を持ち、後部が人間の首の背部を模して後方に湾曲し略台形の左右１対の側辺を繋ぐ曲面を持ち、前部部材の左右１対の棒状部材が前記後部部材の前方に左右に分かれて位置して起立し、上からハンガーを挿入可能な隙間を前記後部部材の前部と前記前部部材との間に設ける様に前記後部部材と前部部材とが基礎部材の上部に固定されるので、隙間に挿入したハンガーを後方から後部部材で押さえ、前方から前部部材の左右１対の棒状部材で押さえることができ、ハンガーに掛けたシャツを前ボタンをボタン穴にかけるのが容易であり、後部部材の側部と後部とでシャツの襟首部を屈曲部に沿って成形できる。
【０００７】
以下に、本発明のいくつかの実施形態を説明する。本発明は、以下に記載の実施形態のいずれか、またはそれらの中の二つ以上が組合わされた態様を含む。
【０００８】
さらに、本発明の実施形態に係るハンガー保持器具は、前記前部部材が、左右１対の前記棒状部材に案内されて上下方向に移動でき所望の位置に固定できる左右１対のコマ部材を有し、前記コマ部材の後端部が前記コマ部材を案内する前記棒状部材の後端部よりも後方に位置する。
上記実施形態の構成により、左右１対のコマ部材が左右１対の前記棒状部材に案内されて上下方向に移動でき所望の位置に固定できるので、ハンガーの形状に合わせて、コマ部材の上下位置を調整でき、隙間に挿入したハンガーの下部をコマ部材に乗せると、ハンガーと後部部材との上下位置を所望の位置にすることをできる。
【０００９】
さらに、本発明の実施形態に係るハンガー保持器具は、前記後部部材の前部から前方へ突起して前後方向に往復可能であり所定の力で前方に付勢された突起部材を備える。
上記実施形態の構成により、所定の力で前方に付勢された突起部材が、前部から前方へ突起して前後方向に往復可能であるので、隙間に挿入したハンガーの後部を付勢力で押さえることができると、ハンガーが隙間で動くのを抑制できる。
【００１０】
さらに、本発明の実施形態に係るハンガー保持器具は、下部を前記基礎部材または前記後部部材に回転自在に固定され上部を前後方向に揺動可能になった板部材である押さえ板部材を、備え、前記押さえ板部材が前記前記後部部材と前記前部部材との間に設けられる。
上記本発明の構成により、上部を前後方向に揺動可能になった押さえ板部材が下部を前記基礎部材または前記後部部材に回転自在に固定されるので、ハンガーの形状に関わらず、隙間に挿入したハンガーの後部を押さえて、ハンガーが隙間で動くのを抑制できる。
【発明の効果】
【００１１】
以上説明したように本発明に係るシャツを掛けたハンガーを保持できるハンガー保持器具は、その構成により、以下の効果を有する。
後部部材を底辺を下にして起立した略台形の輪郭を持つ前部と人間の首の背部を模して後方に湾曲し略台形の左右１対の側辺を繋ぐ曲面を持つ後部とで構成されたものとし、前部部材の左右１対の棒状部材を後部部材の前方に左右に分かれて位置し起立させ、上からハンガーを挿入可能な隙間を前記後部部材と前記前部部材との間に設ける様にしたので、隙間に挿入したハンガーを後方から後部部材で押さえ、前方から前部部材の左右１対の棒状部材で押さえることができ、ハンガーに掛けたシャツを前ボタンをボタン穴にかけるのが容易であり、後部部材の側部と後部とでシャツの襟首部を屈曲部に沿って成形できる。
また、左右１対のコマ部材を左右１対の前記棒状部材に案内されて上下方向に移動でき所望の位置に固定できる様にしたので、
ハンガーの形状に合わせて、コマ部材の上下位置を調整でき、隙間に挿入したハンガーの下部をコマ部材に乗せると、ハンガーを後部部材の所望の位置に保持することをできる。
また、所定の力で前方に付勢された突起部材を、前記後部部材の前部から前方へ突起して前後方向に往復可能である様にしたので、隙間に挿入したハンガーの後部を付勢力で押さえることができると、ハンガーが隙間で動くのを抑制できる。
また、上部を前後方向に揺動可能になった押さえ板部材を下部を基礎部材または前記後部部材の前部に回転自在に固定したので、ハンガーの形状に関わらず、隙間に挿入したハンガーの後部を押さえて、ハンガーが隙間で動くのを抑制できる。
従って、効率よくシャツの成形をすることのできるハンガー保持器具を提供できる。
【発明を実施するための最良の形態】
【００１２】
以下、本発明を実施するための最良の形態を、図面を参照して説明する。なお、各図において、共通する部分には同一の符号を付し、重複した説明を省略する。
【００１３】
最初に、本発明の第一の実施形態に係るハンガー保持器具１０を、図を基に、説明する。
図１は、本発明の第一の実施形態に係るハンガー保持器具の正面図である。図２は、本発明の第一の実施形態に係るハンガー保持器具の左側面図である。図３は、本発明の第一の実施形態に係るハンガー保持器具の背面図である。図４は、本発明の第一の実施形態に係るハンガー保持器具の部分正面図である。図５は、本発明の第一の実施形態に係るハンガー保持器具の部分左側面図である。図６は、本発明の第一の実施形態に係るハンガー保持器具の平面図である。図７は、本発明の第一の実施形態に係るハンガー保持器具のＡ−Ａ断面図である。図８は、本発明の第一の実施形態に係るハンガー保持器具のＢ−Ｂ断面図である。
説明の便宜上、保持したハンガーに掛けたシャツの胸部の向きを前方と、背部の向きを後方と、右袖の向きを右方と、左袖の向きを左方と呼称する。
【００１４】
ハンガー保持部材１０は、シャツ１２を掛けたハンガー１１を保持できる器具であり、基礎部材２０と後部部材３０と前部部材４０と突起部材５０とで構成される。
【００１５】
基礎部材２０は、床に設置可能な部材であり、後述する後部部材３０と前部部材４０とを支持する。
例えば、基礎部材２０は、取付板部材２１と上部管部材２２と押さえボルト２３と中間管部材２４と下部管部材２５と基礎プレート２６とで構成される。
【００１６】
取付板部材２１は、略長方形の板部材である。取付板部材２１は、後述する後部部材３０の取付ボルト３２の貫通する長穴と後述する前部部材４０の取付ボルト４２の貫通する長穴とが設けられる。
取付板部材２１は、一方の面を上方に向け、他方の面に上部管部材２２の上端が固定（例えば、溶接）される。
後部部材３０の取付ボルト３２の貫通する長穴は、前後方向に長い長穴であり、取付板部材２１の後方の左右１対の位置に設けられる。
前部部材４０の取付ボルト４２の貫通する長穴は、左右方向に長い長穴であり、取付板部材２１の間方の左右１対の位置に設けられる。
上部管部材２２は、軸方向を垂直にした配管である。
押さえボルト２３が、上部管部材２２に設けられた雌ねじにねじこまれる。
【００１７】
中間管部材２４は、上部管部材２２の内径より僅かに小さな外径を持った配管でできた部材である。中間管部材２４の上端を上部管部材２２の内径に挿入し、押さえボルト２３をねじ込むと、上部管部材２２と中間管部材２４とが固定される。
【００１８】
下部管部材２５は、中間管部材２４の外径より僅かに大きな内径をもつ配管でできた部材である。下部管部材２４の下端を中間管部材に挿入できる。
基礎プレート２６は、円形の縁を持った板でできた部材である。
下部管部材２５の下端が基礎プレート２６の一方の面に固定（例えば、溶接）される。
【００１９】
後部部材３０は、後部がハンガーに掛けられたシャツの襟首部に当たる様になった部材である。
後部部材３０の前部３１ｆは、底辺を下にして起立した略台形の輪郭を持つ。後部部材３０の後部３１ｂは、人間の首の背部を模して後方に湾曲し略台形の左右１対の側辺３１ｒ、３１ｌを繋ぐ曲面を持つ。
例えば、後部部材３０は、板材を折り曲げてできた板構造部材３１と取付ボルト３２とで構成される。
板構造部材３１は、前後方向に所定の厚みをもち前方から見て底辺を下方に向けた略台形であって後部が所定の形状に湾曲した輪郭を持つ板材でできた構造体である。
板構造部材３１の前部３１ｆは、底辺を下にし面を垂直にした略台形の板材でできている。板構造部材３１の前部３１ｆは、後述する突起部材５０の突起部５１が貫通する長方形の穴が設けられる。略台形の板材の左右１対の辺が、略台形の左右１対の側辺３１ｒ、３１ｌに相当する。板構造部材３１の上部は、前部３１ｆの上辺と後部３１ｂの上辺とで囲まれた開口になっている。
板構造部材３１の後部３１ｂは、左右１対の側辺３１ｒ、３１ｌを繋ぎ所定の曲率で後部に湾曲し後部の中央で繋がった板材でできている。
板構造部材３１の底部は、前部の略台形の板材の下辺と後部の板材の下辺とを繋ぐ平板でできている。取付ボルト３２のねじ込まれる雌ねじが、板構造部材３１の底部の左右１対の位置に設けられる。
取付ボルト３２は、板構造部材３１を基礎プレート２６に固定するためのボルトである。取付ボルト３２は、基礎プレート２６に設けられた前後方向に長い長穴を下から貫通し、板構造部材３１にねじ込まれる。
【００２０】
前部部材４０は、後部部材の前に設けられた部材であり、左右１対の棒状部材４１ｒ、４１ｌと取付ボルト４２と左右１対のコマ部材４３ｒ、４３ｌとで構成される。
上からハンガーを挿入可能な隙間を後部部材３０の前部３１ｆと前部部材４０との間に設ける様に、後部部材３０と前部部材４０とが基礎部材２０の上部に固定される、
左右１対の棒状部材４１ｒ、４１ｌは、後部部材の前方に左右に分かれて位置して起立する。
取付ボルト４２は、左右１対の棒状部材４１ｒ、４１ｌを基礎部材２０に固定するボルトである。
左右１対のコマ部材４３ｒ、４３ｌは、左右１対の棒状部材４１ｒ、４１ｌに案内されて上下方向に移動でき所望の位置に固定できる部材である。コマ部材４３ｒ、４３ｌの後端部がコマ部材４３ｒ、４３ｌを案内する棒状部材４１ｒ、４１ｌの後端部よりも後方に位置する、
例えば、棒状部材は、垂直に起立した円柱部材である。円柱部材の上部が、円錐形状をしている円柱部材の下部に、したから雌ねじが設けられる。
取付ボルト４２は、基礎プレート２６に設けられた左右方向に長い長穴を下から貫通し、棒状部材４１にねじ込まれる。
例えば、コマ部材４３ｒ、４３ｌは、円柱部材の外径より僅かに大きな内径の貫通穴を設けられた円盤状部材である。コマ部材４３ｒ、４３ｌは、側面に押しねじ４４が設けられる。押しねじ４４は、円柱部材に貫通穴を嵌合したコマ部材を円柱部材に固定できる。
コマ部材４３ｒ、４３ｌの後方の側面が、後部部材３０との機械干渉を防止するために切り欠かれている。
【００２１】
突起部材５０は、後部部材３０の前部３１ｆから前方へ突起して、前後方向に往復可能であり、所定の力で前方に付勢された部材である。
例えば、突起部材５０は、突起部５１と突起部材本体５２とで構成される。
突起部５１は、突起部材本体５２に案内され、所定の力で前方に付勢され、前後方向に往復移動できるローラである。
突起部材本体５２が、後部部材３０の前部を形成する板材に後方から固定される。突起部５１が、後部部材３０の前部に設けられた長方形の貫通穴を貫通し前方に突出している。
【００２２】
次に、本発明の第二の実施形態に係るハンガー保持器具１０を、図を基に、説明する。
図９は、本発明の第二の実施形態に係るハンガー保持器具の部分正面図である。図１０は、本発明の第二の実施形態に係るハンガー保持器具のＣ−Ｃ断面図である。
【００２３】
ハンガー保持部材１０は、シャツ１２を掛けたハンガー１１を保持できる器具であり、基礎部材２０と後部部材３０と前部部材４０と突起部材５０と押さえ板部材６０とで構成される。
基礎部材２０と後部部材３０と前部部材４０と突起部材５０との構造は、第一の実施形態に係るハンガー保持器具のものっと同じなので説明を省略し、押さえ板部材６０の構造を説明する。
【００２４】
押さえ板部材６０は、下部を基礎部材２０または後部部材３０に回転自在に固定され上部を前後方向に揺動可能になった板部材である。
押さえ板部材６０が後部部材３０と前部部材４０との間に設けられる。
例えば、押さえ板部材６０は、押さえ板部材本体６１とヒンジ６２とで構成される。
押さえ板部材本体６１は、下部にヒンジ６２の揺動する１対の板のうちの一方が固定され、上部が後方に矩形に折り曲げられた板部材である。
例えば、ヒンジ６２の揺動する１対の板のうちの他方が、基礎プレート２６に固定される。
押さえ板部材本体６１の上部の矩形に折り曲げられた先端が、後部部材３０の上部の開口に挿入される。
押さえ板部材本体６１とコマ部材４３ｒ，４３ｌとの機械干渉をさけるために、  切り欠き部６３が押さえ板部材本体６１の前部部材４０に対応する位置に設けられる。
突起部材５０が、押さえ板部材６０の後部に当たる。
押さえ板部材本体６１は、突起部材５０所定の力で前方へ付勢され、上部を前後方向に揺動可能になる。
【００２５】
次に、本発明の実施形態に係るハンガー保持器具１０の作用を、図面を基に、説明する
図１１は、本発明の実施形態に係るハンガー保持器具の使用説明図である。
図１１では、第一の実施形態に係るハンガー保持器具の例で説明するが、第二の実施形態に係るものも作用も同じである。
【００２６】
ハンガー１１をハンガー保持器具１０に保持させる。
この際、後部部材３０と棒状部材４１ｒ、４１ｌとの前後位置とコマ部材４３の上下位置とを取付ボルト３２、４２と押しねじ４４とにより、所望の位置に調整する。
ハンガー１１が、後部部材３０と前部部材４０との隙間に納まり、突起部材５０に前方に押されて、固定される。
シャツ１２をハンガー１１に掛ける。
シャツ１２の襟首を後部部材２０の後部２０ｂに当てて、シャツ１２の襟首の前部を前方へ引っ張り、前ボタン１３をボタン穴に掛ける。
この様にすると、効率よく、シャツ１２の襟首を成形でき、前ボタンをボタン穴にかけるこをできる。
特に、前部部材４０が左右１対の棒状部材４１であるので、作業員が前ボタンをボタン穴にかける作業を効率よく、行なうことができる。
また、ハンガーを形状の異なるものに変更した場合に、後部部材３０と棒状部材４１ｒ、４１ｌの前後位置とコマ部材４３の上下位置とを取付ボルト３２、４２と押しねじ４４により、所望の位置に再調整する。
【００２７】
上述の実施形態のハンガー保持器具を用いれば、以下の効果を発揮する。
ハンガー保持器具を後部部材３０と前部部材４０とで構成されたものとし、前部部材４０を左右１対の棒状部材４１を備えたものとしたので、ハンガー保持器具に保持されたシャツの前ボタンをボタン穴にかける作業を効率良くおこなうことができる。
また、後部部材３０を取付板部材２１の前後方向に長い長穴にボルト固定する様にしたので、各種の形式と寸法をもったハンガー１１に合わせて、後部部材３０の前後位置を調整できる。
また、前部部材４０の左右１対の棒状部材４１を取付板部材２１の左右に長い長穴にボルト固定する様にしたので、各種の形式と寸法をもったハンガー１１に合わせて、前部部材４０の棒状部材４１の前後位置を調整できる。
また、上下位置を調整できるコマ部材を、前部部材４０の棒状部材４１に設けたので、各種の形式と寸法をもったハンガー１１に合わせて、コマ部材の上下位置を調整できる。
したがって、各種の形状と寸法をもったハンガーに合わせて、ハンガー保持機構に保持するハンガーの姿勢を所望の姿勢に調製でき、シャツの襟首の成形作業の効率を向上させることができる。
また、突起部材を設けたので、後部部材３０と前部部材４０のと隙間に挿入されたハンガーを所定の力で付勢して、ハンガーがずれるのを抑制でき、シャツの襟首の成形作業の効率を向上させることができる。
また、押さえ板部材６０を後部部材３０と前部部材４０との隙間に設けたので、ハンガー１１の形状、寸法に関わらず、ハンガーを押さえることができ、シャツの襟首の成形作業の効率を向上させることができる。
【００２８】
本発明は以上に述べた実施形態に限られるものではなく、発明の要旨を逸脱しない範囲で各種の変更が可能である。
例えば、棒状部材の形状を円柱としたがこれに限定されず、異型の断面をもった柱部材でもよい。
また、コマ部材４３を棒状部材４１に押しねじ４４で固定する例で説明したが、これに限定されず、例えば、棒状部材の周囲に設けた雄ねじにコマ部材４３をねじ込んでもよい。
また、後部部材を板構造としたがが、これに限定されず、例えば、ブロック状の構造でもよい。
コマ部材４３ｒ、４３ｌと後部部材３０の前部４１ｆとの機械干渉を防止するために、コマ部材４３ｒ、４３ｌの後端部を切り欠いたがこれに限定されず、例えば、切り欠き部を後部部材３０の前部４１ｆに設けてもよい。
【図面の簡単な説明】
【００２９】
【図１】本発明の第一の実施形態に係るハンガー保持器具の正面図である。
【図２】本発明の第一の実施形態に係るハンガー保持器具の左側面図である。
【図３】本発明の第一の実施形態に係るハンガー保持器具の背面図である。
【図４】本発明の第一の実施形態に係るハンガー保持器具の部分正面図である。
【図５】本発明の第一の実施形態に係るハンガー保持器具の部分左側面図である。
【図６】本発明の第一の実施形態に係るハンガー保持器具の平面図である。
【図７】本発明の第一の実施形態に係るハンガー保持器具のＡ−Ａ断面図である。
【図８】本発明の第一の実施形態に係るハンガー保持器具のＢ−Ｂ断面図である。
【図９】本発明の第二の実施形態に係るハンガー保持器具の部分正面図である。
【図１０】本発明の第二の実施形態に係るハンガー保持器具のＣ−Ｃ断面図である。
【図１１】本発明の実施形態に係るハンガー保持器具の使用説明図である。
【符号の説明】
【００３０】
１０    ハンガー保持器具
１１    ハンガー
１２    シャツ
１３    前ぼたん
２０    基礎部材
２１    取付板部材
２２    上部管部材
２３    押さえボルト
２４    中間管部材
２５    下部管部材
２６    基礎プレート
３０    後部部材
３１    板構造部材
３１ｆ  前部
３１ｒ  側辺
３１ｌ  側辺
３１ｂ  後部
３２    取付ボルト
４０    前部部材
４１    棒状部材
４１ｒ  棒状部材
４１ｌ  棒状部材
４２    取付ボルト
４３    コマ部材
４３ｒ  右コマ部材
４３ｌ  左コマ部材
４４    押しねじ
５０    突起部材
５１    突起部
５２    突起部材本体
６０    押さえ板部材
６１    押さえ板部材本体
６２    ヒンジ
６３    切り欠き部
【図１】
2006204348.tif 000003
【図２】
2006204348.tif 000004
【図３】
2006204348.tif 000005
【図４】
2006204348.tif 000006
【図５】
2006204348.tif 000007
【図６】
2006204348.tif 000008
【図７】
2006204348.tif 000009
【図８】
2006204348.tif 000010
【図９】
2006204348.tif 000011
【図１０】
2006204348.tif 000012
【図１１】
2006204348.tif 000013